(57)【特許請求の範囲】
【請求項１】
底部に凸面部を設けた槽本体の上部に流入管を配置し、この流入管の下方の位置に槽本体の内周面から所定の角度の傾きで内側に突出したホッパを設け、
流入管に取り入れた雨水を槽本体の中央部に落とし込んで、槽本体内に貯水すると共に、落下する雨水の勢いと凸面部の斜面または曲面により下から上に向かう水の流れを生じさせ、その流れをホッパにより槽本体の中央部に導くことで還流を発生させるようにしたことを特徴とする貯水槽。
【請求項２】
請求項１に記載の貯水槽において、
前記流入管から延長する流出管を設け、前記流入管に流れる雨水の量が多い場合、余分な量の雨水を前記流出管により槽本体外に流出させることを特徴とする貯水槽。
【請求項３】
請求項１に記載の貯水槽において、
前記流入管と前記ホッパの間に位置するように浸透管を前記槽本体を貫通させて設け、前記槽本体の雨水が前記浸透管の位置に達したとき、前記浸透管により排水されるようにしたことを特徴とする貯水槽。
【発明の詳細な説明】
【技術分野】
【０００１】
本発明は、雨水を集水して清浄な状態を保ったまま貯水する貯水槽に関するものである。
【背景技術】
【０００２】
従来のこの種の貯水槽として、例えば、特許文献１に示されるものがある。この特許文献１に示される貯水槽は地中に埋設して使用するもので、上端部の開口縁に透水コンクリート筒体を配設して、この透水コンクリート筒体に流入管と流出管を挿通固定するとともに、流入管の先端に臨むようにフィルターを配設し、流入管を通ってくる雨水をフィルターを通して貯水槽に貯めるものとなっている。流出管は貯水槽内の過剰な水を排水するものである。
【先行技術文献】
【特許文献】
【０００３】
【特許文献１】特開２０００−１７０２２０号公報
【発明の概要】
【発明が解決しようとする課題】
【０００４】
しかしながら、上述した従来の技術においては、雨水を流入管からフィルターを通して貯水槽に取り込むため、貯水槽に入った雨水はほとんど静水に近い状態となり、そのまま貯水されるため、長期間貯水を続けると苔が発生して水質が劣化し、非常時等に飲料水等の生活用水として利用できないという問題がある。
本発明は、このような問題を解決することを課題とする。
【課題を解決するための手段】
【０００５】
そのため、本発明の貯水槽は、底部に凸面部を設けた槽本体の上部に流入管を配置し、この流入管の下方の位置に槽本体の内周面から所定の角度の傾きで内側に突出したホッパを設け、流入管に取り入れた雨水を槽本体の中央部に落とし込んで、槽本体内に貯水すると共に、落下する雨水の勢いと凸面部の斜面または曲面により下から上に向かう水の流れを生じさせ、その流れをホッパにより槽本体の中央部に導くことで還流を発生させるようにしたことを特徴とする。
【発明の効果】
【０００６】
このようにした本発明は、槽本体内の雨水は長期間貯水を続けても苔が発生することはなく、常に清浄な水質を保つことができるので、非常時等に飲料水等の生活用水として利用できるという効果が得られる。
【図面の簡単な説明】
【０００７】
【図１】第１の実施例を示す側断面図、
【図２】第１の実施例を示す横断平面図
【図３】第１の実施例の設置例を示す側断面図
【図４】第１の実施例の作用を示す側断面図
【発明を実施するための形態】
【０００８】
以下、図面を参照して本発明による貯水槽の実施例を説明する。
【実施例１】
【０００９】
図１は第１の実施例を示す側断面図、図２は第１の実施例を示す横断平面図であり、図において１は貯水槽の槽本体で、上端開口部に開閉可能（取外し可能）な蓋２を有し、底部には断面形状台形あるいは山形等の凸面部３が形成されている。
槽本体１の上部には、流入管４と、この流入管４に継手５を介してほぼ直角に接続された流出管６を貫通させてほぼ水平に設けてあり、継手５には注水孔７が設けられていて、この注水孔７は槽本体１の径のほぼ中心部に位置するように配置されている。
【００１０】
また、槽本体１内には、流入管４及び流出管６より下方の位置において、槽本体１の内周面から内側に突出するようにホッパ（突縁）８が槽本体１の内周全長に渡って設けられていて、このホッパ８は水平面に対して下方に所定の角度、例えば１０度乃至４０度の範囲の角度θを成すようにしてあり、更に流入管４及び流出管６とホッパ８の間の位置に槽本体１を貫通するように排水用の浸透管９が複数本放射状に設けられている。
【００１１】
図３は第１の実施例の設置例を示す側断面図で、地表から穴を掘り、その穴の底に砕石等による基礎１１を作って、その基礎１１の上に上述した構成を有する貯水槽を載せる。そして、貯水槽と基礎１１の周りを山砂１２で覆い、その外側に比較的大粒の砕石１３を浸透管９に達する高さまで充填し、その上に小粒の砕石（ビリ砕石）１４を敷き均す。
このようにして、槽本体１を蓋２のみが地表に露出するように地中に埋設して設置するが、蓋２の部分から槽本体１の上部を斜めに覆うように遮水シート１５を山砂１２に埋め込むようにするとよい。
【００１２】
上述した構成の作用について説明する。図４はその作用を示す側断面図で、降水した雨水（蒸留水）は屋根の樋等などから流入管４に流れ込み、継手５に設けられた注水孔７から槽本体１内に落下する。このとき流入管４に流れ込んだ雨水が多量の場合、余分な雨水は流出管６を通って槽本体１外へ排出される。
【００１３】
注水孔７は槽本体１の径のほぼ中心部に位置するように配置されているので、注水孔７から落下した雨水は、槽本体１の底部に形成された凸面部３に当たり、その斜面あるいは曲面上を流れて槽本体１内に溜まって行き、溜った雨水の量がホッパ８を超えて浸透管９に達すると、各浸透管９により排水が行われ、水面に浮いている塵芥等が槽本体１の外部に排出、除去される。
【００１４】
一方、槽本体１内では、注水孔７から落下する雨水の勢いと凸面部３の斜面あるいは曲面により下から上へ向かう水の流れが生じ、そして、その水の流れが所定角度θで下方に傾いているホッパ８により槽本体１の中央部に導かれて下方に向かう流れとなり、それによって槽本体１の内面と中心部の領域で図４に矢印Ａで示したような還流が発生する。このような水の還流により槽本体１内の雨水は苔の発生のない常に清浄な状態に保たれるので、槽本体１内の雨水を蛇口に接続した浅井戸用ポンプ等で汲み上げ、蛇口から流出させて飲料用等に用いることができる。
【００１５】
尚、本実施例における槽本体１内に貯水した雨水（降水があれば槽本体１に常に取り込まれる状態）を、約３ヶ月間測定したところ、以下の結果が得られた。
ｐＨ値      ５．１〜６．８                  平均値    ５．６
溶存酸素  （ｍｇ／１）  ７．９〜１１．９    平均値  １０．５
電気伝導率（ｍＳ／１）  ０．２〜０．７      平均値    ０．４
濁  度    （ＮＴＵ）    ３．３〜９．０      平均値    ６．０
水  温      （℃）      ６．９〜２０        平均値  １１．８
透  視  度              ＞１００            平均値  ＞１００
臭  気    （冷零臭）    無臭                平均値      無臭
【００１６】
また、水道水を入れた容器と槽本体１内に貯水した雨水を入れた容器にそれぞれ切花を挿し、室内に載置して観察したところ、水道水を入れた容器に挿した花が散った後も、雨水を入れた容器に挿した花は散らず、水の消費量も雨水の方が少なかった。
【００１７】
以上説明したように第１の実施例では、底部に凸面部３を設けた槽本体１の上部に流入管を配置し、この流入管の下方の位置に槽本体１の内周面から所定の角度の傾きで内側に突出したホッパ８を設け、流入管４に取り入れた雨水を槽本体１の中央部に落とし込んで貯留すると共に、落下する雨水の勢いと凸面部３の斜面または曲面により下から上に向かう水の流れを生じさせ、その流れをホッパ８により槽本体１の中央部に導くことで還流を発生させるようにしているため、槽本体１内の雨水は長期間貯水を続けても苔が発生することはなく、常に清浄な水質を保つことができるので、非常時等に飲料水等の生活用水として利用できるという効果が得られる。
【００１８】
尚、上述した実施例では、流入管４に継手５を介して流出管６をほぼ直角に接続することで、流出管６を流入管４から延長するように設けたものとしたが、流入管４と流出管６を直線的な一本の管で形成して、その管に注水孔７を設けるようにしてもよい。
また、上述した実施例では、浸透管９を複数本放射状に設けるものとしたが、これに限られず、浸透管９は少なくとも１本設けてあればよい。
更に、槽本体１は地中に埋設する必要はなく、地上に設置した場合でも同様の効果が得られる。
【符号の説明】
【００１９】
１    槽本体
２    蓋
３    凸面部
４    流入管
５    継手
６    流出管
７    注水孔
８    ホッパ
９    浸透管
１１  基礎
１２  山砂
１３  砕石
１４  砕石
１５  遮水シート
【図１】
0005280477.tif 000002
【図２】
0005280477.tif 000003
【図３】
0005280477.tif 000004
【図４】
0005280477.tif 000005